(57)【要約】      （修正有）【課題】後続車の発するライトの光だけが頼りのため、ライトの光が弱かったり、無い場合には、反射発光が弱く、リアガラスに取り付けた、反射型案内標識は見えにくいという不都合を解決すること。【解決手段】イ）自動車のリアガラス（１）につける吸盤（２）に支柱（３）を設け、支柱（３）に回転モーター（４）のついた、三角柱（５）を、取り付けた支柱台（６）を設ける。ロ）支柱台（６）の回転モーター（４）の反対側に、三角柱（５）を回転させる、回転円盤（７）と連結具（８）を設ける。ハ）三角柱（５）の外側表面に、Ａ．絵柄標識（９）、Ｂ．お願い標識（１０）Ｃ．感謝マーク（１１）を設ける。ニ）更に三角柱（５）の中に、点滅する照明ライト（１２）を設け、回転モーター（４）には、タイマー付操作スイッチ（１３）を設ける。以上のことを特徴とする。【選択図】  図１
2007076628.tif 000002
【特許請求の範囲】
【請求項１】
イ）自動車のリアガラス（１）につける吸盤（２）に支柱（３）を設け、支柱（３）に回転モーター（４）のついた、三角柱（５）を、取り付けた支柱台（６）を設ける。
ロ）支柱台（６）の回転モーター（４）の反対側に、三角柱（５）を回転させる、回転円盤（７）と連結具（８）を設ける。
ハ）三角柱（５）の外側表面に、Ａ．絵柄標識（９）、Ｂ．お願い標識（１０）Ｃ．感謝マーク（１１）を設ける。
ニ）更に三角柱（５）の中に、点滅する照明ライト（１２）を設け、回転モーター（４）には、タイマー付操作スイッチ（１３）を設ける。
以上のごとく構成された、後続車に対応する点滅型回転案内標識に関するものである。
【発明の詳細な説明】
【技術分野】
【０００１】  本発明は、反射型案内標識に関するものであり、点滅照明を利用し、案内標識に工夫を加えることによって、後続車の視認性を高め、運転状態を現す絵柄標識、左折、右折等の方向変更したい運転者の意志を表すお願い標識、感謝の気持ちを表す感謝マーク等を標示したものである。
【背景技術】
【０００２】  従来、後続車のライトを頼り、そのライトの光で反射発光して、視認する方法である。
【発明の開示】
【発明が解決しようとする課題】
【０００３】  後続車の発するライトの光だけが頼りのため、ライトの光が弱かったり、無い場合には、反射発光の効果が無く、見落とすことが多い。
又、前の走行車両の方向変更に気づくのが遅くなると、後続車は事故等の危険性が多くなる。
更に道路の車線変更や合流等は、後続車への配慮がないと、割り込み出来ず、非常に危険性が高くなる。
本発明は、このような前を走る走行車と、後続車の関係を重視し、運転者の意志を、後続車に視認させることを課題とする。
【課題を解決しようとする手段】
【０００４】  以下、本発明の課題を解決するための手段を説明する。
この課題を解決するための〔請求項１〕の発明は、運転者の条件、状態を告知するため、初心運転者、高齢運転者、障害者、女性、妊婦、子供や赤ちゃん同乗等の絵柄標識を標示する。
更に左右の進路変更による車線変更や合流が難しい場合には、お願い標識を標示し、スポットライトの照明を点滅操作し、後続車に強くアピールする。
後続車が気づき、譲ってくれた後、譲ってくれた相手、後続車に配慮して、感謝マークを標示し、スポットライトの照明を点滅操作する。
御礼、会釈、思いやりの挨拶の意味である。
以上のように、後続車への配慮を標示出来ることを特徴とする、後続車に対応する点滅型回転案内標識である。
【発明の効果】
【０００５】  この発明の効果を説明する。
本発明によって、後続車は、前の走行車の視認が高まり、運転者の条件や状態を情報として認知して、左右への進路変更を余裕をもって、事前に知り、対応出来る。
更に感謝マークのような思いやりの挨拶、標示を受け、譲り合い精神と相手を思いやる安全運転の心が育つ。
【発明を実施するための最良の形態】
【０００６】  図１は、反射型案内標識の絵柄標識の構造を示す、一部を切り欠いた斜視図である。
図面に示すように、三本の三角柱の外表面が同時回転、同時停止して案内表示を示す。【０００７】  図２は、自動車のリアガラスに取り付けた、点滅型回転案内標識の断面図である。
図面に示すように、リアガラスを透し、後続車の視認を出来る位置に取り付け、三角柱の中の点滅照明が、後続車の視認を高める。
図面の絵柄標識は、固定された位置に設けており、その他の回転する右用矢印マーク、左用矢印マーク、感謝マークは、絵柄標識の後に重なった状態が原点になり、通常は見えない。
絵柄標識、お願い標識、感謝マークは、三本の三角柱の外装面で三分割されており、同時一直線で停止した時に、三分割された標示がが合成されて判明する。
回転方向、停止位置、停止時間は、タイマー付装置スイッチと
回転式モーターにプログラムを組んで、自動化する。【０００８】  更に感謝マークは、感謝、ありがとう、Ｔｈａｎｋ  ｙｏｕ等の文字でも、絵柄でもよい。
点滅する照明ライトは、視認が高まるものであればいい、
又、点滅しても、点滅していなくてもいい。
又、点滅しても点滅しなくともよい。
更に、絵柄標識、お願い標識、感謝マークが発光ダイオードを使用してもよい。
又、更に、支柱を支える吸盤は、リアガラスに固定する強力タイプか、吸盤でなく、接着板でもよい。
【産業上の利用可能性】
【０００９】  本発明に係る反射型案内標識は、工業的に量産することが可能であるため、産業上の利用可能を有する。
【図１】
2007076628.tif 000003
【図２】
2007076628.tif 000004
【手続補正書】
【提出日】平成17年11月28日(2005.11.28)
【手続補正１】
【補正対象書類名】明細書
【補正対象項目名】全文
【補正方法】変更
【補正の内容】
【発明の詳細な説明】
【技術分野】
【０００１】  本発明は、反射型案内標識に関するものであり、点滅照明を利用し、案内標識に工夫を加えることによって、後続車の視認性を高め、運転状態を現す絵柄標識、左折、右折等の方向変更したい運転者の意志を表すお願い標識、感謝の気持ちを表す感謝マーク等を標示したものである。
【背景技術】
【０００２】  従来、後続車のライトを頼り、そのライトの光で反射発光して、視認する方法である。
【発明の開示】
【発明が解決しようとする課題】
【０００３】  後続車の発するライトの光だけが頼りのため、ライトの光が弱かったり、無い場合には、反射発光の効果が無く、見落とすことが多い。
又、前の走行車両の方向変更に気づくのが遅くなると、後続車は事故等の危険性が多くなる。
更に道路の車線変更や合流等は、後続車への配慮がないと、割り込み出来ず、非常に危険性が高くなる。
本発明は、このような前を走る走行車と、後続車の関係を重視し、運転者の意志を、後続車に視認させることを課題とする。
【課題を解決しようとする手段】
【０００４】  以下、本発明の課題を解決するための手段を説明する。
この課題を解決するための［請求項１］の発明は、運転者の条件、状態を告知するため、初心運転者、高齢運転者、障害者、女性、妊婦、子供や赤ちゃん同乗等の絵柄標識を標示する。
更に左右の進路変更による車線変更や合流が難しい場合には、お願い標識を標示し、スポットライトの照明を点滅操作し、後続車に強くアピールする。
後続車が気づき、譲ってくれた後、譲ってくれた相手、後続車に配慮して、感謝マークを標示し、スポットライトの照明を点滅操作する。
御礼、会釈、思いやりの挨拶の意味である。
以上のように、後続車への配慮を標示出来ることを特徴とする、後続車に対応する点滅型回転案内標識である。
【発明の効果】
【０００５】  この発明の効果を説明する。
本発明によって、後続車は、前の走行車の視認が高まり、運転者の条件や状態を情報として認知して、左右への進路変更を余裕をもって、事前に知り、対応出来る。
更に感謝マークのような思いやりの挨拶、標示を受け、譲り合い精神と相手を思いやる安全運転の心が育つ。
【発明を実施するための最良の形態】
【０００６】  図１は、反射型案内標識の絵柄標識の構造を示す、一部を切り欠いた斜視図である。
図面に示すように、三本の三角柱の外表面が同時回転、同時停止して案内表示を示す。【０００７】  図２は、自動車のリアガラスに取り付けた、点滅型回転案内標識の断面図である。
図面に示すように、リアガラスを透し、後続車の視認を出来る位置に取り付け、三角柱の中の点滅照明が、後続車の視認を高める。
図面の絵柄標識は、固定された位置に設けており、その他の回転する右用矢印マーク、左用矢印マーク、感謝マークは、絵柄標識の後に重なった状態が原点になり、通常は見えない。
絵柄標識、お願い標識、感謝マークは、三本の三角柱の外装面で三分割されており、同時一直線で停止した時に、三分割された標示がが合成されて判明する。
回転方向、停止位置、停止時間は、タイマー付装置スイッチと
回転式モーターにプログラムを組んで、自動化する。【０００８】  更に感謝マークは、感謝、ありがとう、Ｔｈａｎｋ  ｙｏｕ等の文字でも、絵柄でもよい。
点滅する照明ライトは、視認が高まるものであればいい、
又、点滅しても、点滅していなくてもいい。
又、点滅しても点滅しなくともよい。
更に、絵柄標識、お願い標識、感謝マークが発光ダイオードを使用してもよい。
又、更に、支柱を支える吸盤は、リアガラスに固定する強力タイプか、吸盤でなく、接着板でもよい。
【産業上の利用可能性】
【０００９】  本発明に係る反射型案内標識は、工業的に量産することが可能であるため、産業上の利用可能を有する。
【図面の簡単な説明】
【００１０】
【図１】  本発明の構造を示す斜面図
【図２】  本発明の構造を示す断面図
【符号の説明】
【００１１】  １    リアガラス
２    吸盤
３    支柱
４    回転モーター
５    三角柱
６    支柱台
７    回転円盤
８    連結具
９    絵柄標識
１０    お願い標識
１１    感謝マーク
１２    照明ライト
１３    タイマー式操作スイッチ